(57)【特許請求の範囲】
【請求項１】
所定の伝送路に接続され、当該伝送路を通じて火災発生を検出し外部に通知する複数の火災感知器と、
前記伝送路を通じて前記複数の火災感知器からの火災発生の通知を受信する受信機と、
前記伝送路を通じて前記複数の火災感知器に対して試験の実行を指令する試験器とを備える試験システムであって、
前記複数の火災感知器は、個別に機器情報を記憶する記憶部を有し、
前記試験器は、前記複数の火災感知器に対して前記機器情報を要求すると共に当該要求によって取得した機器情報を取得情報記憶部に記憶し、当該機器情報に基づいて前記火災感知器に対する試験の実行又は非実行を決定する指令出力部を備え、
前記試験器は、試験について実行すべき条件を設定入力する入力操作部を備え、
前記試験器の指令出力部は、前記火災感知器の機器情報と前記入力操作部から入力された実行すべき条件とに基づいて試験の実行又は非実行を決定することを特徴とする試験システム。
【請求項２】
前記機器情報は、それぞれの前記火災感知器に固有のアドレス情報を含むことを特徴とする請求項１記載の試験システム。
【請求項３】
前記機器情報は、前記火災感知器の機器種別情報を含み、
前記試験器の指令出力部は、前記火災感知器の機器種別情報が示す機器種別に応じて前記試験の実行又は非実行を決定することを特徴とする請求項１又は２記載の試験システム。
【請求項４】
前記試験器の指令出力部は、複数種の試験の一部又は全部について選択的に実行指令を出力可能であって、前記火災感知器の機器種別情報が示す機器種別に基づいて前記複数種の試験の実行又は非実行を決定することを特徴とする請求項３記載の試験システム。
【請求項５】
前記試験器は、前記伝送路に対して着脱可能であり、
前記試験器は、前記伝送路との接続状態の解除を検出する解除検出部を備え、
前記指令出力部は、前記伝送路との接続状態の解除を検出するまで、前記複数の火災感知器の前記機器情報を前記取得情報記憶部に保持することを特徴とする請求項１から４のいずれか一項に記載の試験システム。
【請求項６】
前記試験器の指令出力部は、前記試験の実行により作動状態となった火災感知器に対して、復旧指令を送信することを特徴とする請求項１から５のいずれか一項に記載の試験システム。
【請求項７】
前記機器情報は、それぞれの前記火災感知器の製造番号情報を含むことを特徴とする請求項１から６のいずれか一項に記載の試験システム。
【請求項８】
前記試験器は、それぞれの前記火災感知器の試験の結果を記憶する試験結果記憶部と、
当該試験結果記憶部に記憶された試験の結果を外部に出力する結果出力部とを備えることを特徴とする請求項１から７のいずれか一項に記載の試験システム。
【発明の詳細な説明】
【技術分野】
【０００１】
この発明は、試験器を用いて複数の感知器に対して試験を行う試験システムに関する。
【背景技術】
【０００２】
従来より、火災感知器は一つの区画内に複数台設置されると共にこれらの火災感知器が一台の受信機に接続されて火災の発生を受信機側で把握することができるように運用されている。
そして、上記火災感知器は、その性質上、常に安定して火災感知を行うことが要求されるため、定期的に点検を行う必要がある。
一般に、一つの回線に複数の火災感知器と試験器とが接続された試験システムでは、試験器から各火災感知器を個別に指定して一台ずつ試験を行っていた。
しかし、一つ一つの火災感知器を指定して試験を行うのは、作業が煩雑であり、試験時間も冗長となるので、伝送路を通じて通信を行い、複数の火災感知器に対して一括的又は順番に試験を行う試験システムが提案されている（例えば、特許文献１参照）。この試験システムは、複数の試験器に対して個別に指定する作業が不要となるので、試験作業を容易且つ迅速に行うことが可能であった。
【先行技術文献】
【特許文献】
【０００３】
【特許文献１】特開２０００−２５９９７４号公報
【発明の概要】
【発明が解決しようとする課題】
【０００４】
しかしながら、上記従来の試験システムでは、複数の火災感知器に対して順番に試験を実施する場合、試験器が全アドレスに対して順番に試験の実行を指示するため、未使用のアドレスにまで試験結果の応答待ちを行ってしまい、システム全体の試験の迅速化を十分に実現することができなかった。
【０００５】
また、火災感知器には、煙感知を行うものや熱感知を行うもの等のように、検知対象の異なる複数種類の火災感知器が存在するが、上記試験システムでは、種別が異なる火災感知器が混在する場合の格別の配慮はされていなかった。
さらに、試験器は、各火災感知器に対して種別に拘わらず同一の試験を指示し、試験器の種別によっては不要な試験を実施し、或いは、不要な試験結果の応答待ちを行って、試験の迅速化を十分に図ることができなかった。
【０００６】
また、試験器が火災感知器からの応答が得られない場合に、それが火災感知器の異常によるものなのか、未使用のアドレスに対する指令や不適切な種別の火災感知器に対する指令によるものなのかを識別することが困難であり、正確な試験結果が得られないおそれがあった。
【０００７】
本発明の課題は、火災感知器に対する試験の指令の適正化及び試験の迅速化を図ることができる試験システムを提供することである。
【課題を解決するための手段】
【０００８】
上記の課題を解決するため、
本発明は、所定の伝送路に接続され、当該伝送路を通じて火災発生を検出し外部に通知する複数の火災感知器と、前記伝送路を通じて前記複数の火災感知器からの火災発生の通知を受信する受信機と、前記伝送路を通じて前記複数の火災感知器に対して試験の実行を指令する試験器とを備える試験システムであって、前記複数の火災感知器は、個別に機器情報を記憶する記憶部を有し、前記試験器は、前記複数の火災感知器に対して前記機器情報を要求すると共に当該要求によって取得した機器情報を取得情報記憶部に記憶し、当該機器情報に基づいて前記火災感知器に対する試験の実行又は非実行を決定する指令出力部を備える。
さらに、前記試験器が、試験について実行すべき条件を設定入力する入力操作部を備え、前記試験器の指令出力部は、前記火災感知器の機器情報と前記入力操作部から入力された実行すべき条件とに基づいて試験の実行又は非実行を決定するように構成されている。
【０００９】
本発明によれば、試験器は、火災感知器から機器情報を取得して、当該機器情報に基づいて試験の実行又は非実行を決定するので、試験が不要な火災感知器や応答が得られない火災感知器に対する試験の実行を回避することができる。
さらに、機器情報を利用するので、火災感知器の機種、検知方式、設置方式等の各種の設定情報に基づいてこれらに適正な試験を実施することが可能となる。
さらに、火災感知器に定められたより多くの分類や方式に応じて適正な試験を実行することが可能となる。また、火災感知器に定められた分類や方式を識別して自動的に試験を行うので、試験の実施における作業者負担をより大きく軽減することが可能となる。
【００１０】
また、本発明は、前記機器情報に、それぞれの前記火災感知器に固有のアドレス情報を含ませても良い。
これにより、火災感知器をアドレスに基づいて試験の実行と非実行を管理することができ、試験時間の短縮を図ることができる。また、前述した予め取得した機器情報に基づいて試験を行うことと合わせて、各火災感知器に対してより正確に個々の火災感知器を識別して適正な試験を行うことができる。
【００１１】
また、本発明は、前記機器情報が前記火災感知器の機器種別情報を含み、前記試験器の指令出力部が、前記火災感知器の機器種別情報が示す機器種別に応じて前記試験の実行又は非実行を決定するように構成してもよい。
これにより、試験の対象外となる機器種別の火災感知器を予め除外することができ、試験をより迅速に行うこと可能となる。
【００１２】
また、本発明は、前記試験器の指令出力部が、複数種の試験の一部又は全部について選択的に実行指令を出力可能であって、前記火災感知器の機器種別情報が示す機器種別に基づいて前記複数種の試験の実行又は非実行を決定するように構成しても良い。
これにより、複数の試験を実施する場合に、試験ごとに適正な実施対象となる機器種別の火災感知器を選別して自動的に行うことができ、これら複数の試験を容易且つ迅速に行うことが可能となる。
【００１３】
また、本発明は、前記試験器は、前記伝送路に対して着脱可能であり、前記試験器は、前記伝送路との接続状態の解除を検出する解除検出部を備え、前記指令出力部は、前記伝送路との接続状態の解除を検出するまで、前記複数の火災感知器の前記機器情報を前記取得情報記憶部に保持するように構成してもよい。
これにより、伝送路に試験器を接続すると、一度試験により取得された機器情報は接続状態が解除されるまで保持され、その間は何度も機器情報の取得を行う処理を省略することができ、試験のさらなる迅速化を図ることが可能となる。
【００１５】
また、本発明は、前記試験器の指令出力部が、前記試験の実行により作動状態となった火災感知器に対して、復旧指令を送信するように構成しても良い。
これにより、試験の実施により作動した火災感知器の停止操作を試験器とは別の受信機から行う必要がなくなり、試験実施の作業負担の軽減を図ることができる。
【００１６】
また、本発明は、前記機器情報に、それぞれの前記火災感知器の製造番号情報を含ませても良い。
これにより、例えば、製造番号から製造ロットを把握し、製造ロットごとの試験結果の統計を取ることができ、生産管理について試験結果を有効に利用することが可能となる。
【００１７】
また、本発明は、前記試験器が、それぞれの前記火災感知器の試験の結果を記憶する試験結果記憶部と、当該試験結果記憶部に記憶された試験の結果を外部に出力する結果出力部とを備える構成としても良い。
これにより、火災感知器の試験の結果が記憶され、外部に取り出すことができるので、試験の際に試験結果をその場で記録しなくとも、データとして移動した試験結果を印刷出力、画像出力等を行うことができるので、作業者の試験負担を大きく低減することが可能となる。
【発明の効果】
【００１８】
本発明は、試験器が火災感知器に対して機器情報を要求し、取得した機器情報に基づいて試験の実行を決定するので、応答しない火災感知器や試験が不要な火災感知器の試験の実行を回避することができ、試験の迅速化を図ることが可能となる。
また、試験器は、火災感知器から機器情報を取得するので、当該機器情報に含まれる各設定や感知器の検知方式、設置方式など種々の情報に基づいて火災感知器に対するより適正な試験を実行させることが可能となる。
【図面の簡単な説明】
【００１９】
【図１】本発明を適用した試験システムを示す概略構成図である。
【図２】試験システム内の煙感知器のブロック図である。
【図３】試験システム内の熱感知器のブロック図である。
【図４】試験システム内の炎感知器のブロック図である。
【図５】試験システム内の受信機のブロック図である。
【図６】試験システム内の試験器のブロック図である。
【図７】作動試験の実施対象を選択する入力画面の表示例である。
【図８】感度試験の実施対象を選択する入力画面の表示例である。
【図９】試験器による試験の実施処理(1)のフローチャートである。
【図１０】試験の実施処理における試験のサブルーチンを示すフローチャートである。
【図１１】試験器による試験の実施処理(2)のフローチャートである。
【図１２】試験器による試験の実施処理(3)のフローチャートである。
【図１３】試験器による試験の実施処理(3)の試験結果画面の表示例である。
【発明を実施するための形態】
【００２０】
［実施形態の概要］
本発明の実施形態を図面に基づいて説明する。図１は本発明に係る試験システムの構成例を示す構成図である。
図１に示すように、この試験システム１００は、伝送路１０１に接続された複数の火災感知器１０と、伝送路１０１に接続された受信機４０と、伝送路１０１に接続された試験器２０とを備えている。
なお、火災感知器１０は、煙感知器１０Ａ、熱感知器１０Ｂ、炎感知器１０Ｃ等の種別があり、上記試験システム１００には、これら各種の感知器が混在している。なお、以下の説明において、各種の火災感知器について包括的に説明する場合には、「火災感知器１０」と記載し、種別毎に区別して説明する場合には、上記の通り、「煙感知器１０Ａ」、「熱感知器１０Ｂ」、「炎感知器１０Ｃ」と記載する。
【００２１】
［伝送路］
伝送路１０１は、一対の配線であるライン線Ｌとコモン線Ｃから構成されている。これらライン線Ｌ及びコモン線Ｃは、いずれも一端部が受信機４０の電源回路４５に接続されており、他端部が終端器１０２に接続されている。そして、受信機４０の電源回路４５から電源が供給され、ライン線Ｌとコモン線Ｃとの間には例えば２４Ｖ程度の電位差が生じている。
【００２２】
［煙感知器］
図２に、本試験システムに用いられる煙感知器の一例を示す。
煙感知器１０Ａは、発光素子から放射された光が煙検出室内に流入した煙の粒子によって散乱された光を受光素子に受光させ、その受光量が所定のレベルに達したことを感知すると火災発生と判断するものである。
【００２３】
上記のような機能を実現するために、煙感知器１０Ａは、発光素子１１および受光素子１２と、受光素子１２からの信号を増幅する増幅器１３と、該増幅器１３により増幅された信号（アナログ信号）をデジタル信号に変換するＡＤ変換回路１４と、該ＡＤ変換回路１４からの出力値に基づいて火災の発生を判断する火災判断回路１５を備えている。本実施形態においては、上記受光素子１２と増幅器１３とＡＤ変換回路１４とにより煙濃度検出手段が構成される。
火災判断回路１５は、マイクロプロセッサ（ＣＰＵ）およびＲＯＭ（リードオンリメモリ）やＲＡＭ（ランダムアクセスメモリ）などの記憶手段により構成される。また、火災判断回路１５は、後述する機器情報を記憶する記憶部として、ＲＯＭとは別個に、電気的に書き込み可能なＥＥＰＲＯＭもしくはフラッシュメモリのような不揮発性メモリを備えている。不揮発性メモリは電池によりバックアップされたＲＡＭに機器情報を記憶しても良い。
【００２４】
また、煙感知器１０Ａは、ライン線Ｌとコモン線Ｃとにそれぞれ接続される一対の端子１６ａ，１６ｂと、ライン線Ｌとコモン線Ｃに印加されている電圧（例えば２４Ｖ）から、感知器内部で使用する電源電圧（３Ｖや６Ｖ）を生成して各内部回路へ供給する電源回路１７や、火災判断回路１５によって火災の発生が検出された場合に、ライン線Ｌ−コモン線Ｃ間のインピーダンスを下げる（短絡を含む）ことによって、火災の発生を受信機４０へ知らせるためのスイッチで構成された短絡回路１８、ライン線Ｌとコモン線Ｃに接続される一対の端子１６ａ，１６ｂに接続され、該端子に外部より入力される信号（コマンド）を受信して火災判断回路１５へ伝送したり、内部のデータを外部へ送信したりする送受信回路１９を備える。
【００２５】
ところで、上記構成の煙感知器はいわゆる光電式スポット型煙感知器と呼ばれるものであり、このほか後述の通り様々なタイプの煙感知器が存在する。
上記火災判断回路１５の記憶部には、煙感知器１０Ａに固有の機器情報が記憶されている。この機器情報には、「アドレス」、「機器種別」、「方式種別」、「設置型種別」、「感度種別」が含まれている（図１３参照）。
【００２６】
上記「アドレス」は、火災感知器を個々に識別するために、同一伝送路内で重複が生じないように設定された番号である。
上記「機器種別」は、火災感知器の検知対象に基づく分類である。具体的には、当該火災感知器１０が「煙感知器」、「熱感知器」、「炎感知器」のいずれであるかを示す情報である。
上記「方式種別」は検知方法に基づく分類であり、光電式とイオン式とがある。
上記「設置型種別」は感知エリアに基づく分類であり、一箇所の煙の検知におり発報するスポット型と広範囲の煙の検知による発報を行う分離型がある。
上記「感度種別」は火災と判断する煙濃度の範囲の広狭の分類であり、感度の高さに応じて例えば１〜３種というように分類される。
【００２７】
［熱感知器］
図３に、本試験システムに用いられる熱感知器の一例を示す。
熱感知器１０Ｂは、周囲の温度が一定値以上となった場合に火災発生と判断する。
この熱感知器１０Ｂにおいて、前述した煙感知器１０Ａと同一の構成については同符号を付して重複する説明は省略する。
熱感知器１０Ｂは、サーミスタ等の熱感知素子１１Ｂ、増幅器１３、ＡＤ変換回路１４、火災判断回路１５、一対の端子１６ａ，１６ｂ、電源回路１７、短絡回路１８送受信回路１９を備える。
【００２８】
なお、方式種別が定温式の場合には、火災判断回路１５は、ＡＤ変換回路１４からの周囲の検出温度の出力値に基づいて火災の発生を判断する。また、方式種別が差動式の場合には、熱感知素子１１Ｂに替えて圧力検出素子を備え、熱感知器内部の密閉領域内の圧力が火災の熱により高まると、これを圧力センサ等で検出し、火災判断回路が、検出圧力の上昇に基づいて火災の発生を判断する。
また、熱感知素子１１Ｂは、サーミスタに限らず、例えば、バイメタルを使用する場合もある。バイメタルを使用する場合には、増幅器１３、ＡＤ変換回路１４は使用されず、火災判断回路１５は、バイメタルからなる接点の開閉による電流値又は電圧値の変動により火災の発生を判断する。
【００２９】
また、熱感知器１０Ｂの火災判断回路１５の記憶部にも、熱感知器１０Ｂに固有の機器情報が記憶されている。熱感知器１０Ｂの機器情報の項目は前述した煙感知器１０Ａと同じであるが、一部の項目については内容が異なるので、その点についてのみ説明する（図１３参照）。
熱感知器１０Ｂの「設置型種別」には、一箇所の熱の検知により発報するスポット型と広範囲の熱の検知による発報を行う分布型とがある。
また、熱感知器１０Ｂの「感度種別」については、感度の高さに応じて例えば特種と１〜３種というように分類される。
【００３０】
［炎感知器］
炎感知器１０Ｃは、赤外線式と紫外線式の二種類の検知方式がある。
赤外線式は、所定波長の赤外線の検出強度が一定値以上となった場合に火災発生と判断し、紫外線式は、所定波長の紫外線の検出強度が一定値以上となった場合に火災発生と判断する。
【００３１】
図４は炎感知器１０Ｃの構成を示している。この炎感知器１０Ｃにおいて、前述した煙感知器１０Ａと同一の構成については同符号を付して重複する説明は省略する。
炎感知器１０Ｃは、図示しない赤外線光又は紫外線光を透過するバンドパスフィルタを備えた光電変換素子又は焦電センサ等の光検出素子１１Ｃ、増幅器１３、ＡＤ変換回路１４、火災判断回路１５、一対の端子１６ａ，１６ｂ、電源回路１７、短絡回路１８送受信回路１９を備える。
炎感知器１０Ｃの火災判断回路１５は、煙感知器１０Ａと同様に、ＡＤ変換回路１４からの出力値に基づいて火災の発生を判断する。
【００３２】
また、炎感知器１０Ｃの火災判断回路１５の記憶部にも、炎感知器１０Ｃに固有の機器情報が記憶されている。炎感知器１０Ｃの機器情報の項目は前述した煙感知器１０Ａと同じであるが、「方式種別」は前述した赤外線式と紫外線式とからなる点が他の火災感知器と異なっている。
【００３３】
［受信機］
図５は受信機４０の構成である。図５に示すように、受信機４０は、ライン線Ｌとコモン線Ｃにそれぞれ接続される一対の端子４１ａ，４１ｂと、端子４１ａ，４１ｂの端子間電圧に基づいて煙感知器１０から火災発報信号が出力されたか否か判定する火災信号判定回路４４、該端子４１ａ，４１ｂを介して各火災感知器１０に対する発報の停止を促す復旧指令信号の送信を行う送受信回路４２と、火災の発生と発生箇所の報知表示を行うＬＣＤ（液晶パネル）やＬＥＤランプなどからなる表示部４６、火災の発生の報知音を鳴動させるブザーやスピーカなどの音響出力部４８、火災発報信号を受けて表示部４６及び音響出力部４８の報知処理を行う制御部４３、各火災感知器１０に対する復旧指令信号の送信を実行させる入力操作部４７と、ＡＣ１００Ｖのような商用交流電圧を受けて、受信機４０内の上記各構成の動作に必要な直流電源電圧（３Ｖや６Ｖ）を生成して供給する電源回路４５とを備えている。
なお、この受信機４０は、いわゆるＰ型受信機であり、火災の検知と火災発生の判断は火災感知器１０側で行い、それらの結果を受信して報知を行う。
また、電源回路４５は、ライン線Ｌとコモン線Ｃとに１０Ｖ〜３２Ｖ程度の電位差を発生させて、各火災感知器１０に対して電源の供給も行っている。なお、この受信機４０の電源回路４５はバッテリを内蔵しており、外部から交流電圧の供給がない場合、内部回路はバッテリからの電源電圧でも動作可能に構成されている。
【００３４】
［試験器］
図６には試験器２０の構成例および該試験器２０と火災感知器１０との接続関係が示されている。
図６に示すように、試験器２０は、ライン線Ｌとコモン線Ｃにそれぞれ接続される一対の端子２１ａ，２１ｂと、該端子２１ａ，２１ｂを介して各火災感知器１０へパルス信号（コマンドコード）を送出する送受信回路２２と、試験に必要な演算や内部回路の制御等を行う感度判定手段としての演算制御部２３とを備える。演算制御部２３は、マイクロプロセッサ（ＣＰＵ）とＲＯＭ（リードオンリメモリ）やＲＡＭ（ランダムアクセスメモリ）などの記憶手段により構成される。
また、演算制御部２３は、取得情報記憶部として、ＲＯＭとは別個に、電気的に書き込み可能なＥＥＰＲＯＭもしくはフラッシュメモリのような不揮発性メモリを備えている。不揮発性メモリは電池によりバックアップされたＲＡＭに機器情報を記憶しても良い。
試験器２０の演算制御部２３は、各火災感知器１０から機器情報を取得して、この取得情報記憶部に格納する。そして、各種の試験を実施する際には、取得情報記憶部に格納された機器情報を参照しながら、試験の実施対象であるか否かを判断する。即ち、この演算制御部２３は、各火災感知器１０に対する試験の実行又は非実行を決定する「指令出力部」として機能する。
また、取得情報記憶部として不揮発性メモリに対して、演算制御部２３は、各火災感知器１０に対して行った試験の結果も記録する。つまり、取得情報記憶部として不揮発性メモリは、「試験結果記憶部」としても機能する。
【００３５】
また、試験器２０は、上記一対の端子２１ａ，２１ｂに接続され、端子間電圧に基づいて各火災感知器１０から火災発報信号が出力されたか否か判定する火災発報信号検出手段としての火災信号判定回路２４や、ＡＣ１００Ｖのような商用交流電圧を受けて、内部回路の動作に必要な直流電源電圧（３Ｖや６Ｖ）を生成して各内部回路へ供給する電源回路２５、演算制御部２３によって取得された各火災感知器１０の機器情報や演算制御部２３によって実行された試験結果を出力するＬＣＤ（液晶パネル）やＬＥＤランプなどからなる結果出力部としての表示部２６、演算制御部２３へ対する指令や設定情報を入力するための操作ボタンからなる入力操作部２７、演算制御部２３による制御によって音を発生するブザーやスピーカなどの音響出力部２８を備える。
上記音響出力部２８は必須のものでなく、省略しても良い。電源回路２５はバッテリを内蔵しており、外部から交流電圧の供給がない場合、内部回路はバッテリからの電源電圧でも動作可能に構成されている。
【００３６】
［作動試験］
試験器２０が各火災感知器１０に対して行う試験の種別について説明する。
火災感知器１０の試験は、主に、感度試験と作動試験とが行われる。
作動試験は、火災感知器１０が火災の発報動作を行うことができるか否かを確認する試験であり、機種種別に拘わらず、全ての火災感知器１０を対象として行われる。
作動試験では、試験器２０が送受信回路２２から、作動試験の対象となる火災感知器１０のアドレスと作動試験の実行指令のコマンドとを火災感知器１０に対して送信する。
これに対して、各火災感知器１０の火災判断回路１５は、指定されたアドレスが自己のアドレスである場合には、作動試験の実行指令のコマンドに応じて発報動作、即ち、短絡回路１８によるライン線Ｌとコモン線Ｃとの短絡を実行する。
そして、試験器２０は、作動試験の実行指令のコマンドの送信から規定時間内に、送受信回路２２を通じてライン線Ｌとコモン線Ｃとの短絡状態が検出されるか否かによって火災感知器１０が発報動作可能かを判定する。
【００３７】
［感度試験］
感度試験は、塵芥などの付着等の要因により、設置してから経時的に感度の変化が生じやすい煙感知器１０Ａのみを対象として行われる。
この感度試験は、煙感知器１０Ａが製造当初に設定された煙濃度の設定範囲で正しく火災発生と判断できるか否かを確認する試験である。
【００３８】
煙感知器１０Ａは、火災判断回路１５の記憶部に、煙感知のパラメータとして、煙が発生していない状態での検知煙濃度（初期値）と火災発生と判断する煙濃度の範囲の最大値及び最小値とが登録されている。
煙感知器１０Ａの感度試験は、経年的又は外的要因によって生じる煙の検知感度の変化が許容される範囲内か否かを確認する必要がある。
【００３９】
煙の検知感度に変化を生じている場合には、煙が発生していない状態での検知煙濃度の値にその変化が現れる。これに基づいて、試験器２０は、煙感知器１０Ａに対して、感度試験の対象となる煙感知器１０Ａのアドレスと作動試験の実行指令のコマンドと煙感知器１０Ａが現在検出している煙濃度値に加算又は減算する試験値を与える。これに対して、感度試験の対象となる煙感知器１０Ａは、現在検出している煙濃度値に当該試験値を加算又は減算した比較値が火災発生と判断する煙濃度の範囲内となるか否かを判断し、範囲内であれば発報するので、試験器２０は、発報動作の有無を検出し、煙感知器１０Ａの感度の適否を判断する。
【００４０】
［試験対象の設定］
上述したように、作動試験は全ての機器種別の火災感知器１０を対象とし、感度試験は煙感知器１０Ａのみを対象とするが、試験器２０は、上記制限の範囲内で、さらに、各種の試験の対象を前述した他の種別について選択設定することが可能である。
図７は試験器２０の表示部２６に表示される作動試験の対象となる火災感知器１０の設定画面であり、この設定画面から入力操作部２７を通じて作動試験を実施する火災感知器１０を方式種別又は感度種別ごとに選択設定することができる。
具体的には、煙感知器１０Ａ及び熱感知器１０Ｂについては、感度種別ごとに実施対象を選択することができ、炎感知器１０Ｃは方式種別ごとに選択することができる。
なお、選択可能な種別は一例であり、方式種別や感度種別に限定されない。
【００４１】
また、図８は感度試験の対象となる煙感知器１０Ａの設定画面であり、この設定画面から入力操作部２７を通じて感度種別ごとに実施対象を選択設定することができる。なお、感度試験の対象となる煙感知器１０Ａの設定画面は、作動試験の対象となる火災感知器１０の設定画面と共通する画像データを使用しており、熱感知器１０Ｂ及び炎感知器１０Ｃの設定項目も表示されるが、これらは破線又は薄色で表示され、入力操作部２７による入力ができないようになっている。
そして、図７及び図８の設定画面に示す各種試験の実施対象の設定については、試験器２０の演算制御部２３の取得情報記憶部に格納される。
【００４２】
［試験器による試験の実施処理(1)］
図９には、試験器２０の演算制御部２３による火災感知器１０の試験の実施処理(1)のフローチャートが示されている。なお、試験システム１００における各火災感知器１０の各種の試験は、従来から行われている火災感知器１０を設置箇所から取り外して試験器に接続する方式とは異なり、火災感知器１０を設置箇所に設置したままの状態で実施される（後述する実施処理(2)，(3)も同様）。
また、試験器２０は作動試験と感度試験の二種類の試験を実施可能であるが、この実施処理(1)では、作動試験又は感度試験のいずれか一方のみを実施する場合の処理について説明する。
【００４３】
まず、演算制御部２３は、試験対象となる火災感知器１０のアドレスＮを0にリセットし（ステップＳ１）、次いで、アドレスＮを一つカウントアップする（ステップＳ３）。
そして、現在のアドレスの火災感知器１０に対して機器情報の要求を実行する（ステップＳ５）。具体的には、演算制御部２３は、パルス信号によってアドレス信号と機器要求コマンド信号とを生成して送受信回路２２を通じて伝送路１０１（ライン線Ｌとコモン線Ｃ）に送信する。これに対して、各火災感知器１０は、アドレス信号を送受信回路１９により受信して、火災判断回路１５が自己のアドレスと一致するか判定し、一致しなければアドレス信号に続く機器情報要求コマンド信号には応答しない。また、アドレスが一致する火災感知器１０の火災判断回路１５は、機器要求コマンド信号に応じて、自己の記憶部に格納された機器情報を参照し、「アドレス」、「機器種別」、「方式種別」、「設置型種別」、「感度種別」の各種の設定情報のパルス信号を生成して、送受信回路１９を通じて伝送路１０１に送信する。
【００４４】
試験器２０の演算制御部２３は、アドレス信号と機器情報要求コマンド信号の送信後、規定時間が経過するまで火災感知器１０からの応答待ちを行う（ステップＳ７）。
試験システム１００の伝送路１０１に接続された火災感知器１０の中には、伝送路１０１に対して火災発生の発報を行う機能は有するが、伝送路１０１を通じた信号の通信機能は持っていないものが存在する。このような通信機能を持たない火災感知器１０は割り当てられた自己のアドレス信号が伝送路１０１に送信されても応答は行わない。
また、現在のアドレスの火災感知器１０に何らかの異常が発生して応答が行われない場合もある。
従って、現在のアドレスが通信機能を持たない火災感知器１０のアドレスである場合又は異常が発生した火災感知器１０のアドレスである場合には、演算制御部２３は、応答信号待ちの規定時間が経過しても、機器情報信号を取得することはできない（ステップＳ７：ＮＯ）。この場合には、演算制御部２３は、現在のアドレスの火災感知器１０は応答が得られなかったことを取得情報記憶部に記録すると共に、処理をステップＳ１３に進めて、現在のアドレスが最終アドレスＮｍａｘであるか否かを判定する。その結果、最終アドレスＮｍａｘに達していれば（ステップＳ１３：ＹＥＳ）、実施処理(1)は終了となる。また、現在のアドレスが最終アドレスＮｍａｘではない場合には（ステップＳ１３：ＮＯ）、ステップＳ３に処理を戻して、アドレスをカウントアップして次のアドレスに基づいて機器情報の要求を行う。
【００４５】
一方、現在のアドレスの火災感知器１０から機器情報信号の応答が得られた場合には（ステップＳ７：ＹＥＳ）、演算制御部２３は、取得した機器情報を取得情報記憶部に格納する。そして、この取得情報記憶部に格納した機器情報と、前述した図７又は図８に示す各種試験の実施対象の設定情報とを参照して、現在のアドレスの火災感知器１０がこれから実施する試験の実施対象であるか否かを判定する（ステップＳ９）。
例えば、試験が作動試験である場合には、機器種別を問わず実施対象となるが、図７の実施対象の設定情報が存在する場合には、取得した機器情報から方式種別又は感度種別が実施対象に該当するか否かについても判定する。
また、試験が感度試験である場合には、取得した機器情報から機器種別が煙感知器であるかを判定し、さらに、図８の実施対象の設定情報が存在する場合には、取得した機器情報から感度種別が実施対象に該当するか否かについても判定する。
【００４６】
そして、現在のアドレスの火災感知器１０が試験の実施対象である場合には（ステップＳ９：ＹＥＳ）、当該火災感知器１０に対して試験実行コマンドを送信して試験を実行させる（ステップＳ１１）。そして、試験結果を取得してから、ステップＳ１３に処理を進める。
また、現在のアドレスの火災感知器１０が試験の実施対象ではない場合には（ステップＳ９：ＮＯ）、当該火災感知器１０に対して試験を実行することなく、ステップＳ１３に処理を進める。
【００４７】
ステップＳ１３では、現在のアドレスが最終アドレスＮｍａｘであるか否かを判定する。
そして、現在のアドレスが最終アドレスＮｍａｘではない場合には（ステップＳ１３：ＮＯ）、ステップＳ３に処理を戻して、アドレスをカウントアップして次のアドレスの火災感知器１０に対する処理を実行する。
また、現在のアドレスが最終アドレスＮｍａｘである場合には（ステップＳ１３：ＹＥＳ）、全ての火災感知器１０に対して試験が完了したことになるので、試験の実施処理(1)は終了となる。
【００４８】
図１０は図９のステップＳ１１の試験の処理を示すフローチャートである。
演算制御部２３は、現在のアドレスの火災感知器１０に対して試験の実行を要求する（ステップＳ１１１）。
例えば、試験が作動試験の場合には、演算制御部２３は、送受信回路２２を通じて、アドレス信号と作動試験コマンド信号とを伝送路１０１に送信する。
これに対して、現在のアドレスの火災感知器１０の火災判断回路１５は、作動が正常であれば、短絡回路１８によりライン線Ｌとコモン線Ｃとを短絡させて火災発報信号を送信する。また、何らかの異常により作動が正常ではない場合には火災発報信号は送信されない。
【００４９】
そして、試験器２０の演算制御部２３は、アドレス信号と作動試験コマンド信号を送信してから一定期間の応答待ち（火災発報信号待ち）を行う。
その結果、一定期間内に火災発報信号が得られた場合には（ステップＳ１１３：ＹＥＳ）、現在のアドレスの火災感知器１０又は全ての火災感知器１０に対して発報状態を停止させる復旧コマンド信号を送信して（ステップＳ１１５）、表示部２６に現在のアドレスの火災感知器１０は作動試験結果が正常であったことを表示する（ステップＳ１１７）。
また、一定期間内に火災発報信号が得られなかった場合には（ステップＳ１１３：ＮＯ）、表示部２６に現在のアドレスの火災感知器１０は作動試験結果が異常であったことを表示する（ステップＳ１１７）。
【００５０】
また、試験が感度試験の場合には、演算制御部２３は、現在のアドレスの火災感知器１０に対して、試験指令として、煙感知のパラメータの要求コマンドや現在検出している煙濃度値に試験値を加算した比較値に対する火災判定の要求コマンドを送信する（ステップＳ１１１）。
なお、感度試験の場合には、試験値を変化させて複数回判定を行う場合があるので、当該火災判定の要求コマンドは複数回送信される場合がある。
【００５１】
これに対して、現在のアドレスの火災感知器１０の火災判断回路１５は、比較値（試験値と現在検出している煙濃度値との合計値）が火災発生と判断する煙濃度の範囲となった場合には、短絡回路１８によりライン線Ｌとコモン線Ｃとを短絡させて火災発報信号を送信する。また、比較値が火災発生と判断する煙濃度の範囲内にならない場合には火災発報信号は送信されない。
【００５２】
そして、試験器２０の演算制御部２３は、火災発報信号が得られると（ステップＳ１１３：ＹＥＳ）、現在のアドレスの火災感知器１０に対して発報状態を停止させる復旧コマンド信号を送信して（ステップＳ１１５）、その際の試験値に応じて現在のアドレスの火災感知器１０の感度試験結果が正常か異常かを判定し、その判定結果を表示する（ステップＳ１１７）。
また、最終的に火災発報信号が得られなかった場合には（ステップＳ１１３：ＮＯ）、表示部２６に現在のアドレスの火災感知器１０は感度試験結果が異常であったことを表示する（ステップＳ１１７）。
【００５３】
［試験器による試験の実施処理(2)］
図１１には、試験器２０の演算制御部２３による火災感知器１０の試験の実施処理(2)のフローチャートが示されている。
この実施処理(2)は作動試験又は感度試験のいずれか一方のみを実施する場合の処理である。また、前述した実施処理(1)は各火災感知器１０に対して機器情報の要求と試験とを連続して行っていたが、この実施処理(2)では全ての火災感知器１０に対して機器情報の要求を行ってから各火災感知器１０に対して試験を実行する点が異なっている。
【００５４】
この実施処理(2)におけるステップＳ２１〜Ｓ２５までの処理は、前述した実施処理(1)におけるステップＳ１〜Ｓ５までの処理と同一である。
即ち、演算制御部２３は、火災感知器１０のアドレスをリセットしてから（ステップＳ２１）、一つカウントアップし（ステップＳ２３）、当該アドレスの火災感知器１０に対して機器情報の要求を行う（ステップＳ２５）。
【００５５】
その後、演算制御部２３は、機器情報要求に対する応答待ちを行い、所定時間内に機器情報信号を取得できなかった場合には、当該アドレスの火災感知器１０は応答が得られなかったことを取得情報記憶部に記録し、機器情報信号が得られた場合には、取得した機器情報を取得情報記憶部に格納する（ステップＳ２７）。
【００５６】
そして、演算制御部２３は、現在のアドレスが最終アドレスＮｍａｘであるか否かを判定する（ステップＳ２９）。その結果、現在のアドレスが最終アドレスＮｍａｘに達していない場合には（ステップＳ２９：ＮＯ）、ステップＳ２３に処理を戻して、アドレスをカウントアップして次のアドレスに基づいて機器情報の要求を行う。
また、最終アドレスＮｍａｘに達していれば（ステップＳ２９：ＹＥＳ）、アドレスのカウントをリセットして（ステップＳ３１）、個々の火災感知器１０の試験に移行する。
【００５７】
まず、アドレスを一つカウントアップし（ステップＳ３３）、当該アドレスの火災感知器１０の機器情報と前述した図７又は図８に示す各種試験の実施対象の設定情報とを呼び出して、現在のアドレスの火災感知器１０がこれから実施する試験の実施対象であるか否かを判定する（ステップＳ３５）。この判定については、前述した実施処理(1)のステップＳ９の処理と同一である。
【００５８】
そして、現在のアドレスの火災感知器１０が試験の実施対象である場合には（ステップＳ３５：ＹＥＳ）、当該火災感知器１０に対して試験実行コマンドを送信して試験を実行させる（ステップＳ３７）。試験実行の処理については図１０に基づいて既に説明した通りである。そして、試験の結果を取得してから、ステップＳ３９に処理を進める。
また、現在のアドレスの火災感知器１０が試験の実施対象ではない場合には（ステップＳ３５：ＮＯ）、当該火災感知器１０に対して試験を実行することなく、ステップＳ３９に処理を進める。
【００５９】
ステップＳ３９では、現在のアドレスが最終アドレスＮｍａｘであるか否かを判定する。
そして、現在のアドレスが最終アドレスＮｍａｘではない場合には（ステップＳ３９：ＮＯ）、ステップＳ３３に処理を戻して、アドレスをカウントアップして次のアドレスの火災感知器１０に対する処理を実行する。
また、現在のアドレスが最終アドレスＮｍａｘである場合には（ステップＳ３９：ＹＥＳ）、全ての火災感知器１０に対して試験が完了したことになるので、試験の実施処理(2)は終了となる。
【００６０】
［試験器による試験の実施処理(3)］
図１２には、試験器２０の演算制御部２３による火災感知器１０の試験の実施処理(3)のフローチャートが示されている。
この実施処理(3)は複数種類の試験、例えば、作動試験と感度試験の両方を実施する場合の処理である。この実施処理(3)は、前述した実施処理(2)と同様に、先に全ての火災感知器１０に対して機器情報の要求を行ってから各火災感知器１０に対して試験を実行する。
【００６１】
この実施処理(3)におけるステップＳ６１〜Ｓ６９までの処理は、各火災感知器１０に対する機器情報の取得を行う処理であり、前述した実施処理(3)におけるステップＳ２１〜Ｓ２９までの処理と同一であるため説明は省略する。
【００６２】
ステップＳ６１〜Ｓ６９の処理により、全ての火災感知器１０の機器情報の取得の処理が完了すると、演算制御部２３は、アドレスのカウントをリセットしてから（ステップＳ７１）、一つカウントアップし（ステップＳ７３）、まず、一方の試験Ａ（例えば、感度試験とする）を実施する。
演算制御部２３は、現在のアドレスの火災感知器１０の機器情報と前述した図８に示す感度試験の実施対象の設定情報とを呼び出して、現在のアドレスの火災感知器１０が感度試験の実施対象であるか否かを判定する（ステップＳ７５）。この判定については、前述した実施処理(1)のステップＳ９の処理と同一である。
【００６３】
そして、現在のアドレスの火災感知器１０が感度試験の実施対象である場合には（ステップＳ７５：ＹＥＳ）、当該火災感知器１０に対して試験実行コマンドを送信して感度試験を実行させる（ステップＳ７７）。感度試験実行の処理については図１０に基づいて既に説明した通りである。そして、感度試験の結果を取得してから、ステップＳ７９に処理を進める。
また、現在のアドレスの火災感知器１０が感度試験の実施対象ではない場合には（ステップＳ７５：ＮＯ）、当該火災感知器１０に対して感度試験を実行することなく、ステップＳ７９に処理を進める。
【００６４】
ステップＳ７９では、現在のアドレスが最終アドレスＮｍａｘであるか否かを判定する。
そして、現在のアドレスが最終アドレスＮｍａｘではない場合には（ステップＳ７９：ＮＯ）、ステップＳ７３に処理を戻して、アドレスをカウントアップして次のアドレスの火災感知器１０に対する処理を実行する。
また、現在のアドレスが最終アドレスＮｍａｘである場合には（ステップＳ７９：ＹＥＳ）、全ての火災感知器１０に対して感度試験が完了したことになるので、次の試験Ｂに移行する（例えば、作動試験とする）。
【００６５】
作動試験の処理であるステップＳ８１〜Ｓ８９の処理は感度試験の処理であるステップＳ７１〜Ｓ７９と殆ど同一なので、簡単に説明する。
演算制御部２３は、アドレスをリセットし（ステップＳ８１）、一つカウントアップして（ステップＳ８３）、現在のアドレスの火災感知器１０の機器情報と前述した図７に示す感度試験の実施対象の設定情報とを呼び出して、作動試験の実施対象であるか否かを判定する（ステップＳ８５）。
そして、現在のアドレスの火災感知器１０が作動試験の実施対象であれば（ステップＳ８５：ＹＥＳ）、感度試験を行い（ステップＳ８７）、その試験結果を取得する。
また、現在のアドレスの火災感知器１０が作動試験の実施対象ではなければ（ステップＳ８５：ＮＯ）、作動試験は行わない。
そして、現在のアドレスが最終アドレスＮｍａｘであるか否かを判定し、最終アドレスＮｍａｘではない場合には（ステップＳ８９：ＮＯ）、ステップＳ８３に処理を戻して、次のアドレスの火災感知器１０に対する処理を実行し、現在のアドレスが最終アドレスＮｍａｘである場合には（ステップＳ８９：ＹＥＳ）、全ての火災感知器１０に対して作動試験が完了して、試験の実施処理(3)は終了となる。
【００６６】
図１３は、図１２の試験の実施処理(3)によって取得された各火災感知器１０の機器情報及び感度試験による試験結果の表示例である。
この図１３に示すように、アドレス２，８の火災感知器１０は、機器情報の要求に対する応答が得られておらず、通信機能を有していないか或いは通信機能に異常がある火災感知器であることが予想される。
また、感度試験なので、煙感知器１０Ａ以外の機種種別の火災感知器１０は、試験が行われず、試験結果が得られていないことが分かる。また、アドレス３の煙感知器１０Ａは、煙感知器であるにも拘わらず試験結果が得られていないので、感度試験で異常と判定されたことが予想される。
【００６７】
なお、上記試験の実施処理(3)では、二種類の試験を実行する場合を例示したが、三以上の試験を実行することも可能である。その場合には、ステップＳ８９の処理において、現在のアドレスが最終アドレスＮｍａｘに達した後に、新たに、ステップＳ８１〜Ｓ８９と同じ処理により次の試験を行えば良い。
【００６８】
［発明の実施形態の技術的効果］
試験システム１００の試験器２０は、複数の火災感知器１０に対して機器情報を要求し、取得した機器情報に基づいて試験の実行の可否を決定しているので、試験の対象となる火災感知器に対して試験を実施することができ、試験実施の迅速化を図ることが可能となる。
また、機器情報にアドレス情報が含まれている場合には、火災感知器の管理や通信を適正に行うことができ、機器種別情報が含まれている場合には、複数種の試験を行う場合に、機器種別に応じた適正な試験を行うことができる。
また、試験器２０から復旧指令を送信するので、受信機４０からの送信を不要とし、作業負担が軽減される。
さらに、試験器２０は、試験の結果を表示部２６で表示しているが、その他に、情報記録媒体や情報通信により外部に出力可能としても良い。
【００６９】
［機器情報の保持について］
試験器２０の一対の端子２１ａ，２１ｂをぞれぞれ分離可能なプラグとソケットから構成し、ソケット部分を伝送路１０１側に残して、プラグをソケットから分離可能としても良い。
また、このように、試験器２０を伝送路１０１から着脱可能とした場合において、演算制御部２３は、試験器２０の伝送路１０１に対する接続状態の解除が検出されるまでは、既に取得した機器情報を取得情報記憶部にそのまま保持するようにデータ管理を行う構成としても良い。
なお、この場合には、火災信号判定回路２４を、試験器２０が伝送路１０１から外されて接続状態が解除されたことを検出する解除検出部として使用することができる。
これにより、試験を実施する度に各火災感知器１０に対して機器情報の要求を行う必要がなくなり、試験に要する時間を短縮化することが可能となる。
また、試験器２０に主電源の投入と切断を行う電源スイッチを設けてもよい。その場合には、電源スイッチを切断すると、試験器２０は伝送路１０１との接続状態が解除されるので、当該解除を電源回路２５により検出可能として、演算制御部２３は、試験器２０の伝送路１０１に対する接続状態の解除が検出されるまでは、既に取得した機器情報を取得情報記憶部にそのまま保持するようにデータ管理を行う構成としても良い。
【００７０】
［その他］
上記試験システム１００では、受信機４０と試験器２０とが個別に設けられているが、受信機４０と試験器２０とを一体に構成しても良い。
その場合、受信機４０と試験器２０とがそれぞれ有している送受信回路、火災信号判定回路、表示部、入力操作部、音響出力部、電源回路等の構成は、一つを共用することができる。また、受信機４０の制御部４３と試験器２０の演算制御部２３も、いずれか一方を共用することができる。
【００７１】
また、上記試験システム１００の試験器２０は、各火災感知器１０の試験として作動試験と感度試験の二種類の試験を実施する場合を例示したが、試験の種別はこれらに限定されず、また、より多くの試験を実施しても良い。また、より多くの種別の試験の中から一部を選択して実施してもよい。
また、火災感知器１０として煙感知器１０Ａと熱感知器１０Ｂと炎感知器１０Ｃとを例示したが、これらに限定されず、伝送路１０１を介して試験器２０と通信可能な他の機器種別の火災感知器もシステム内に加えてもよい。
【００７２】
なお、各火災感知器１０が有する機器情報に、各火災感知器１０の製造番号の情報を含ませても良い。これにより、例えば、製造番号から製造ロットを把握し、製造ロットごとの試験結果の統計を取ることができ、生産管理について試験結果を有効に利用することが可能となる。
この場合、試験器２０の演算制御部２３を所定のインターフェイスを介して外部の通信ネットワークと接続とし、当該通信ネットワークに接続されたサーバーから製造番号と関連する他の情報、例えは、製造ロット等の管理情報を取得可能とすることが望ましい。
【符号の説明】
【００７３】
１０  火災感知器
１０Ａ  煙感知器
１０Ｂ  熱感知器
１０Ｃ  炎感知器
１１  発光素子
１１Ｂ  熱感知素子
１１Ｃ  光検出素子
１２  受光素子
１６ａ，１６ｂ  端子
２０  試験器
２１ａ，２１ｂ  端子
２２  送受信回路
２３  演算制御部(指令出力部、解除検出部）
２４  火災信号判定回路
２６  表示部
２７  入力操作部
４０  受信機
４１ａ，４１ｂ  端子
１００  試験システム
１０１  伝送路
Ｃ  コモン線
Ｌ  ライン線
【図１】
0006587478.tif 000002
【図２】
0006587478.tif 000003
【図３】
0006587478.tif 000004
【図４】
0006587478.tif 000005
【図５】
0006587478.tif 000006
【図６】
0006587478.tif 000007
【図７】
0006587478.tif 000008
【図８】
0006587478.tif 000009
【図９】
0006587478.tif 000010
【図１０】
0006587478.tif 000011
【図１１】
0006587478.tif 000012
【図１２】
0006587478.tif 000013
【図１３】
0006587478.tif 000014